(57)【特許請求の範囲】
【請求項１】
ダンボール板に帯状のシール部材が埋め込まれ、該シール部材の上面がダンボール板の上板と、下面がダンボール板の下板とそれぞれ面一状であり、前記シール部材には下面から突出したアンカーが設けられたことを特徴とする堰板。
【請求項２】
免震構造物の基礎の周囲に組立形成された擁壁用型枠にコンクリートが打設され、該擁壁用型枠内に打設されたコンクリートの天端に、帯状のガスケットがダンボール板に埋め込まれてなる堰板を設置し、該堰板を底板の一部とした上部躯体用型枠を組立形成し、該上部躯体用型枠内にコンクリートを打設し、該コンクリートの硬化後における上部躯体用型枠の解体にともなって、堰板のダンボール板のみを除去することを特徴とする免震構造物の構築方法。
【発明の詳細な説明】
【０００１】
【発明の属する技術分野】
本発明は堰板および免震構造物の構築方法に関するものである。
【０００２】
【従来の技術】
図４に示すように、免震構造物の基礎２１の周囲における擁壁２２と、この上に形成された片持ちスラブ２４との間には、上部躯体２３を可動させるための隙間（垂直クリアランス）２５を必要とした。そして、この隙間２５には防火区画を形成するために耐火性かつ弾性のガスケット２６が設置されている。
【０００３】
【発明が解決しようとする課題】
しかし、上記のような隙間にガスケットを設置した免震構造物には下記のような問題があった。
（１）隙間が一定でないためガスケットの形状および寸法が統一できない。
（２）狭い隙間において上部躯体用型枠を解体するのが困難である。
（３）狭い隙間でガスケットの長さ方向の接続を行うため施工精度がわるい。
（４）ガスケットを後施工で狭い隙間へ挿入するのが困難である。
（５）地震による上部躯体の移動により接着剤で接着されたガスケットが剥離してしまう。
【０００４】
本発明はこれらの問題に鑑みてなされたものであり、その目的は、擁壁と片持ちスラブとの隙間に簡単でかつ精度良く設置できる堰板および免震構造物の構築方法を提供することである。
【０００５】
【課題を解決するための手段】
以上の課題を解決するための堰板の要旨は、ダンボール板に帯状のシール部材が埋め込まれ、該シール部材の上面がダンボール板の上板と、下面がダンボール板の下板とそれぞれ面一状であり、前記シール部材には下面から突出したアンカーが設けられたことを特徴とする。
【０００６】
また免震構造物の構築方法の要旨は、免震構造物の基礎の周囲に組立形成された擁壁用型枠にコンクリートが打設され、該擁壁用型枠内に打設されたコンクリートの天端に、帯状のガスケットがダンボール板に埋め込まれてなる堰板を設置し、該堰板を底板の一部とした上部躯体用型枠を組立形成し、該上部躯体用型枠内にコンクリートを打設し、該コンクリートの硬化後における上部躯体用型枠の解体にともなって、堰板のダンボール板のみを除去することを特徴とする。
【０００７】
堰板を型枠の一部として使用することができる。堰板を型枠の一部として使用した後に、ダンボール板の除去が簡単にできる。シール部材のコンクリート躯体への設置が簡単にできる。またアンカーによりシール部材のコンクリート躯体への固定が確実にできる。ガスケットの型枠への後施工による設置がなくなる。ガスケットがダンボール板に設置されているため、ガスケットのアンカーを打設コンクリートへ簡単に差し込むことができる。擁壁天端とスラブ下端との隙間（垂直クリアランス）の精度を確保することができる。ガスケットの上面をスラブに密着させることができる。堰板が隙間に密着して設置されているため、免震ピット内への雨水の浸入を防ぐことができる。スラブ用型枠は隙間に設置されないので、解体・撤去が簡単にできるとともに、紙であるダンボール板も隙間から簡単に除去できる。アンカーで擁壁天端に固定されたガスケットが、地震よる上部躯体の移動によっても剥離しない。
【０００８】
【発明の実施の形態】
以下、本発明の堰板および免震構造物の構築方法の実施の形態を図面に基づいて説明する。はじめに堰板について説明し、次に免震構造物の構築方法について説明するが、各実施の形態において同じ構成は同じ符号を付して説明し、異なった構成にのみ異なった符号を付して説明する。
【０００９】
堰板１は、図１に示すように、ダンボール板２に帯状のシール部材、すなわち断面六角形のガスケット３が埋設されて構成されている。このガスケット３は耐火性かつ弾性であり、上面がダンボール板の上板５と、下面がダンボール板の下板６とそれぞれ面一になるように波板４に沿って埋設されている。またガスケット３はダンボール板２の波板４と直交状に埋設することもでき、断面形状も六角形に限らず、他の多角形または円形であってもよい。さらに、シール部材はガスケット３に限らず、耐火性かつ弾性を有するものであればどのようなものであってもよい。
【００１０】
また堰板１は各種型枠の一部として使用することができ、例えばガスケット３を躯体の所定箇所に設置する場合には、図２に示すようなアンカー７をガスケット３に適宜間隔ごとに設けることもできる。
【００１１】
次に、上記の図２の堰板１を使用した免震構造物の構築方法について説明する。この構築方法は免震装置が設置される基礎部におけるものであり、図３に示すように、基礎９の擁壁１０を構築するための擁壁用型枠１１を組立形成する。そして、この擁壁用型枠１１にコンクリート１２の打設時に、この上面を平滑をにし、両面に剥離剤を塗布した堰板１を設置する。この堰板１はアンカー７をコンクリート１２（擁壁）に埋め込むように設置し、長さ方向の継ぎ足し部を接着剤で接合する。
【００１２】
このような打設コンクリート１２の上面、すなわち擁壁１０の天端に堰板１を設置した後、基礎９の適宜箇所に設置した免震ゴムの上に免震部材１３を取り付ける。そして、上部躯体用型枠１４を組立形成するとともに、堰板１を底板の一部とした片持ちスラブ用型枠１５（以下スラブ用型枠という）を組立形成する。このように堰板１がスラブ用型枠１５の底板の一部となるため、隙間１６の精度を確保することができるとともに、ガスケット３の上面を片持ちスラブ（以下スラブという）１７に密着させることができる。さらに、堰板１は隙間１６に密着して設置されるため、免震ピット１８内への雨水の浸入を防ぐこともできる。
【００１３】
次に、これらの型枠１４、１５内にコンクリート１９を打設し、これが硬化した後に、上記型枠１４、１５を解体する。そして、この型枠１４、１５の解体にともなって堰板１のダンボール板２のみを除去すると、擁壁１０に埋め込まれたアンカー７で固定されたガスケット３が隙間１６に設置される。またスラブ用型枠１５は隙間１６に設置されないので、簡単に解体・撤去することができるとともに、ダンボール板２も紙であるため隙間１６からの除去が簡単にできる。
【００１４】
【発明の効果】
堰板を型枠の一部として使用することができる。
【００１５】
堰板を型枠の一部として使用した後に、ダンボール板の除去が簡単にできる。
【００１６】
型枠にシール部材が予め埋設されているため、シール部材のコンクリート躯体への設置が簡単にできる。
【００１７】
アンカーによりガスケットのコンクリート躯体への固定が確実にできる。
【００１８】
ガスケットの型枠への後施工による設置がなくなる。
【００１９】
ガスケットがダンボール板に設置されているため、ガスケットのアンカーを打設コンクリート内へ簡単に差し込むことができる。
【００２０】
擁壁天端とスラブ下端との隙間（垂直クリアランス）の精度を確保することができる。
【００２１】
ガスケットの上面をスラブに密着させることができる。
【００２２】
堰板が隙間に密着して設置されるため、免震ピット内への雨水の浸入を防ぐことができる。
【００２３】
スラブ用型枠は隙間に設置されないので、解体・撤去が簡単にできるとともに、紙であるダンボール板も隙間から簡単に除去できる。
【００２４】
アンカーで擁壁天端に固定されたガスケットが、地震よる上部躯体の移動によっても剥離しない。
【図面の簡単な説明】
【図１】堰板の断面斜視図である。
【図２】他の堰板の断面斜視図である。
【図３】免震構造物の構築方法を示す断面図である。
【図４】（１）は従来の免震構造物の構築方法の断面図、（２）は要部の断面斜視図である。
【符号の説明】
１  堰板
２  ダンボール板
３、２６  ガスケット
４  波板
５  上板
６  下板
７  アンカー
９、２１  基礎
１０、２２  擁壁
１１  擁壁用型枠
１２、１９  コンクリート
１３  免震部材
１４  上部躯体用型枠
１５  片持ちスラブ用型枠
１６、２５  隙間
１７、２４  片持ちスラブ
１８  免震ピット
２３  上部躯体
【図１】
0003817490.tif 000002
【図２】
0003817490.tif 000003
【図３】
0003817490.tif 000004
【図４】
0003817490.tif 000005